(57)【要約】【課題】  無線通信システムにおける基準信号送信を実行するための方法および装置【解決手段】  測定のために第１のＲＳを周期的にブロードキャストするセル、送信ポイント（ＴＰ）、または送受信ポイント（ＴＲＰ）は、異なるビーム上の各期間内において複数の状況（またはタイミング）で、第１のＲＳを送信する１３０５。また、第２のＲＳをＰＤＣＣＨ復調のためにＵＥへ送信するセル、ＴＰまたはＴＲＰは、ＰＤＣＣＨが送信されるサブフレーム（またはシンボル）を用いて、ＵＥビームセット中の複数のビームに乗せて、第２のＲＳを送信する１３１０。【選択図】  図１３
2018196145.tif 000002
【特許請求の範囲】
【請求項１】
無線通信システムにおいてネットワークノードによって制御されるセル内で、該ネットワークノードがシステムフレーム番号（ＳＦＮ）を送信するための方法であって、送信は無線フレームにまとめられ、１つの無線フレームは複数のサブフレームを含み、当該方法は、
前記ネットワークノードによって、サブフレームの直交周波数分割多重（ＯＦＤＭ）シンボル内で同期信号をブロードキャストすることと、
前記ネットワークノードによって、前記サブフレームの複数のＯＦＤＭシンボル内で、前記セルのＳＦＮを示すシグナリングをブロードキャストすることであって、該複数のＯＦＤＭシンボルは、前記同期信号をブロードキャストするために使用される前記ＯＦＤＭシンボルを含む、ブロードキャストすることと、
を含む方法。
【請求項２】
前記シグナリング及び前記同期信号は、前記同期信号をブロードキャストするために使用される前記ＯＦＤＭシンボル内の異なる周波数リソースを占有する、請求項１の方法。
【請求項３】
前記シグナリングは、ＭａｓｔｅｒＩｎｆｏｒｍａｔｉｏｎＢｌｏｃｋである、請求項１の方法。
【請求項４】
前記同期信号は、前記サブフレームの１つのＯＦＤＭシンボルのみを占有する、請求項１の方法。
【請求項５】
前記同期信号は、二次同期信号である、請求項１の方法。
【請求項６】
前記シグナリングの送信周期性は、前記同期信号の送信周期性に等しい、請求項１に記載の方法。
【請求項７】
無線通信システムにおいてセル内で、ユーザ機器（ＵＥ）がシステムフレーム番号（ＳＦＮ）を受信するための方法であって、送信は無線フレームにまとめられ、１つの無線フレームは複数のサブフレームを含み、当該方法は、
前記ＵＥによって、サブフレームの直交周波数分割多重（ＯＦＤＭ）シンボル内で、ブロードキャストされた同期信号を受信することと、
前記ＵＥによって、前記サブフレームの複数のＯＦＤＭシンボル内で、前記セルのＳＦＮを示すブロードキャストされたシグナリングを受信することであって、該複数のＯＦＤＭシンボルは、前記同期信号を受信するために使用される前記ＯＦＤＭシンボルを含む、受信することと、
を含む方法。
【請求項８】
前記シグナリング及び前記同期信号は、前記同期信号をブロードキャストするために使用される前記ＯＦＤＭシンボル内の異なる周波数リソースを占有する、請求項７の方法。
【請求項９】
前記シグナリングは、ＭａｓｔｅｒＩｎｆｏｒｍａｔｉｏｎＢｌｏｃｋである、請求項７の方法。
【請求項１０】
前記同期信号は、前記サブフレームの１つのＯＦＤＭシンボルのみを占有する、請求項７の方法。
【請求項１１】
前記同期信号は、二次同期信号である、請求項７の方法。
【請求項１２】
前記シグナリングの送信周期性は、前記同期信号の送信周期性に等しい、請求項７に記載の方法。
【請求項１３】
無線通信システムにおいてネットワークノードによって制御されるセル内で、システムフレーム番号（ＳＦＮ）を送信するためのネットワークノードであって、送信は無線フレームにまとめられ、１つの無線フレームは複数のサブフレームを含み、当該ネットワークノードは、
制御回路と、
前記制御回路内に内蔵されたプロセッサと、
前記制御回路内に内蔵されかつ動作可能に前記プロセッサと接続されたメモリとを有し、
前記プロセッサは、前記メモリ中に保存されたプログラムコードを実行して、
前記ネットワークノードによって、サブフレームの直交周波数分割多重（ＯＦＤＭ）シンボル内で同期信号をブロードキャストすることと、
前記ネットワークノードによって、前記サブフレームの複数のＯＦＤＭシンボル内で、前記セルのＳＦＮを示すシグナリングをブロードキャストすることであって、該複数のＯＦＤＭシンボルは、前記同期信号をブロードキャストするために使用される前記ＯＦＤＭシンボルを含む、ブロードキャストすることと、を行うように構成される、
ネットワークノード。
【請求項１４】
前記シグナリング及び前記同期信号は、前記同期信号をブロードキャストするために使用される前記ＯＦＤＭシンボル内の異なる周波数リソースを占有する、請求項１３のネットワークノード。
【請求項１５】
前記シグナリングは、ＭａｓｔｅｒＩｎｆｏｒｍａｔｉｏｎＢｌｏｃｋである、請求項１３のネットワークノード。
【請求項１６】
前記同期信号は、前記サブフレームの１つのＯＦＤＭシンボルのみを占有する、請求項１３のネットワークノード。
【請求項１７】
前記同期信号は、二次同期信号である、請求項１３のネットワークノード。
【請求項１８】
前記シグナリングの送信周期性は、前記同期信号の送信周期性に等しい、請求項１３に記載のネットワークノード。
【請求項１９】
無線通信システムにおいてセル内で、システムフレーム番号（ＳＦＮ）を受信するためのユーザ機器（ＵＥ）であって、送信は無線フレームにまとめられ、１つの無線フレームは複数のサブフレームを含み、当該方法は、
制御回路と、
前記制御回路内に内蔵されたプロセッサと、
前記制御回路内に内蔵されかつ動作可能に前記プロセッサと接続されたメモリとを有し、
前記プロセッサは、前記メモリ中に保存されたプログラムコードを実行して、
前記ＵＥによって、サブフレームの直交周波数分割多重（ＯＦＤＭ）シンボル内で、ブロードキャストされた同期信号を受信することと、
前記ＵＥによって、前記サブフレームの複数のＯＦＤＭシンボル内で、前記セルのＳＦＮを示すブロードキャストされたシグナリングを受信することであって、該複数のＯＦＤＭシンボルは、前記同期信号を受信するために使用される前記ＯＦＤＭシンボルを含む、受信することと、を行うように構成される、
ＵＥ。
【請求項２０】
前記シグナリング及び前記同期信号は、前記同期信号をブロードキャストするために使用される前記ＯＦＤＭシンボル内の異なる周波数リソースを占有する、請求項１９のＵＥ。
【請求項２１】
前記シグナリングは、ＭａｓｔｅｒＩｎｆｏｒｍａｔｉｏｎＢｌｏｃｋである、請求項１９のＵＥ。
【請求項２２】
前記同期信号は、前記サブフレームの１つのＯＦＤＭシンボルのみを占有する、請求項１９のＵＥ。
【請求項２３】
前記同期信号は、二次同期信号である、請求項１９のＵＥ。
【請求項２４】
前記シグナリングの送信周期性は、前記同期信号の送信周期性に等しい、請求項１９に記載のＵＥ。
【発明の詳細な説明】
【技術分野】
【０００１】
本出願は、米国仮特許出願シリアル番号第６２／１６５、６４６号（出願日：２０１５年５月２２日）および米国仮特許出願シリアル番号第６２／１７４、８１７号（出願日：２０１５年６月１２日）の恩恵を主張する。本明細書中、同文献の開示内容全体を参考のため援用する。
【０００２】
本開示は、主に無線通信ネットワークに関し、より詳細には、無線通信システム内において基準信号送信を実行するための方法および装置に関する。
【背景技術】
【０００３】
モバイル通信デバイスとの大量のデータの通信の需要の急上昇を背景に、従来のモバイル音声通信ネットワークは、インターネットプロトコル（ＩＰ）データパケットにより通信するネットワークへと進化している。このようなＩＰデータパケット通信は、モバイル通信デバイスのユーザへの音声提供をＩＰ、マルチメディア、マルチキャストおよびオンデマンド通信サービスを介して提供することができる。
【０００４】
例示的なネットワーク構造は、進化型地上無線アクセスネットワーク（Ｅ−ＵＴＲＡＮ）である。Ｅ−ＵＴＲＡＮシステムは、上記音声をＩＰおよびマルチメディアサービスを介して実現するために、高データスループットを提供することができる。次世代用の新規無線技術（例えば、５Ｇ）が、現在３ＧＰＰ標準組織によって議論されている。そのため、３ＧＰＰ標準の現在の内容の変更について、３ＧＰＰ標準の進化および仕上げのために現在提出および検討されている。
【発明の概要】
【課題を解決するための手段】
【０００５】
無線通信システム内において基準信号送信を実行するための方法および装置。一実施形態において、前記方法は、前記セル、送信ポイント（ＴＰ）または送受信ポイント（ＴＲＰ）が、測定のために第１のＲＳを周期的にブロードキャストすることを含み、前記第１のＲＳは、各期間の複数の状況（またはタイミング）で異なるビームに乗せて送信される。本方法は、ＰＤＣＣＨ（物理的下り制御チャンネル）復調のために前記セル、ＴＰまたはＴＲＰが第２のＲＳをＵＥ（ユーザ機器）へ送信することも含み、前記第２のＲＳは、前記ＰＤＣＣＨが送信されるサブフレーム（またはシンボル）を用いて前記ＵＥのビームセット中の複数のビームに乗せて送信される。
【図面の簡単な説明】
【０００６】
図１は、１つの例示的実施形態による無線通信システムを示す。
【０００７】
図２は、１つの例示的実施形態による送信器システム（アクセスネットワークとしても知られる）と、受信器システム（ユーザ機器またはＵＥとしても知られる）とのブロック図である。
【０００８】
図３は、１つの例示的実施形態による通信システムの機能ブロック図である。
【０００９】
図４は、１つの例示的実施形態による図３のプログラムコードの機能ブロック図である。
【００１０】
図５は、３ＧＰＰＴＳ３６．３００の図５．１−１の再現である。
【００１１】
図６は、３ＧＰＰＴＳ３６．３００の図５．１−２の再現である。
【００１２】
図７は、３ＧＰＰＴＳ３６．３００の表５．１−１の再現である。
【００１３】
図８は、３ＧＰＰＴＳ３６。２１１の図６．２．２−１の再現である。
【００１４】
図９は、３ＧＰＰＴＳ３６．２１１の表６．２．３−１の再現である。
【００１５】
図１０は、１つの例示的実施形態による物理的サブフレーム構造を示す。
【００１６】
図１１は、１つの例示的実施形態による、ＣＲＳ（セル固有基準信号）送信のタイミング図である。
【００１７】
図１２は、１つの例示的実施形態による、ＣＲＳおよびＰＤＣＣＨ送信の図である。
【００１８】
図１３は、１つの例示的実施形態によるフローチャートである。
【００１９】
図１４は、１つの例示的実施形態によるフローチャートである。
【００２０】
図１５は、１つの例示的実施形態によるメッセージフロー図である。
【００２１】
図１６は、１つの例示的実施形態によるブロック図である。
【００２２】
図１７は、１つの例示的実施形態によるブロック図である。
【００２３】
図１８は、１つの例示的実施形態によるフローチャートである。
【００２４】
図１９は、１つの例示的実施形態によるフローチャートである。
【００２５】
図２０は、１つの例示的実施形態によるフローチャートである。
【００２６】
図２１は、１つの例示的実施形態によるフローチャートである。
【発明を実施するための形態】
【００２７】
以下に述べる例示的無線通信システムおよびデバイスは、ブロードキャストサービスをサポートする無線通信システムを用いる。無線通信システムは、多様な種類の通信（例えば、音声、データ等）を提供するために広範に設置されている。これらのシステムは、符号分割多元接続（ＣＤＭＡ）、時分分割多元接続（ＴＤＭＡ）、直交周波数分割多元接続（ＯＦＤＭＡ）、３ＧＰＰＬＴＥ（ロングタームエボリューション）無線アクセス、３ＧＰＰＬＴＥ−ＡまたはＬＴＥ−アドバンスト（ロングタームエボリューションアドバンスト）、３ＧＰＰ２ＵＭＢ（ウルトラモバイルブロードバンド）、ＷｉＭａｘ、または他のいくつかの変調技術に基づく。
【００２８】
詳細には、以下に述べる例示的無線通信システムデバイスは、多様な文書（例えば、「ＤＯＣＯＭＯ  ５Ｇ  Ｗｈｉｔｅ  Ｐａｐｅｒ（ＮＴＴ  Ｄｏｃｏｍｏ，Ｉｎｃ）」およびＭＥＴＩＳ  デリバラブル  Ｄ２．４、「Ｐｒｏｐｏｓｅｄ  ｓｏｌｕｔｉｏｎｓ  ｆｏｒ  ｎｅｗ  ｗｉｒｅｌｅｓｓ  ａｃｃｅｓｓ」）中で議論されている無線技術をサポートするように設計され得る。さらに、以下に述べる例示的無線通信システムデバイスは、１つ以上の標準をサポートするように設計され得る（例えば、ＴＳ３６．３００Ｖ１２．５．０、「Ｅ−ＵＴＲＡ  ａｎｄ  Ｅ−ＵＴＲＡＮＯｖｅｒａｌｌ  ｄｅｓｃｒｉｐｔｉｏｎ」；３ＧＰＰ  ＴＳ３６．２１１  Ｖ１２．５．０、「Ｅ−ＵＴＲＡ  Ｐｈｙｓｉｃａｌ  Ｃｈａｎｎｅｌｓ  ａｎｄ  Ｍｏｄｕｌａｔｉｏｎ」；ＴＳ３６．３３１Ｖ１２．５．０、「Ｅ−ＵＴＲＡＲＲＣ  ｐｒｏｔｏｃｏｌ  ｓｐｅｃｉｆｉｃａｔｉｏｎ」；ＴＳ３６．２１３Ｖ１２．３．０、「Ｅ−ＵＴＲＡ  ｐｈｙｓｉｃａｌ  ｌａｙｅｒ  ｐｒｏｃｅｄｕｒｅｓ」；およびＴＳ３６．３２１Ｖ１２．５．０、「Ｅ−ＵＴＲＡ  ＭＡＣ  ｐｒｏｔｏｃｏｌ  ｓｐｅｃｉｆｉｃａｔｉｏｎ」を含む「３ｒｄＧｅｎｅｒａｔｉｏｎ  ｐａｒｔｎｅｒｓｈｉｐ  Ｐｒｏｊｅｃｔ」（本明細書中３ＧＰＰと呼ぶ）という名称のコンソーシアムによって提供される標準、）。ここで、上記に羅列した標準および文書全体を参考のため援用する。
【００２９】
図１は、本発明の一実施形態による多重アクセス無線通信システムを示す。アクセスネットワーク１００（ＡＮ）は、複数のアンテナグループを含む。１つのアンテナグループは１０４および１０６を含み、別のアンテナグループは１０８および１１０を含み、さらなるアンテナグループは１１２および１１４を含む。図１において、各アンテナグループに対してアンテナを２つだけ図示しているが、より多数または少数のアンテナを各アンテナグループに対して用いることができる。アクセス端末１１６（ＡＴ）は、アンテナ１１２および１１４と通信し、アンテナ１１２および１１４は、情報を送信リンク１２０を介してアクセス端末１１６へ送り、アクセス端末１１６から情報を逆方向リンク１１８を介して受信する。アクセス端末（ＡＴ）１２２は、アンテナ１０６および１０８と通信し、アンテナ１０６および１０８は、情報を送信リンク１２６を介してアクセス端末（ＡＴ）１２２へ送信し、アクセス端末（ＡＴ）１２２から情報を逆方向リンク１２４を介して受信する。ＦＤＤシステムにおいて、通信リンク１１８、１２０、１２４および１２６は、通信のために異なる周波数を用い得る。その場合、例えば、送信リンク１２０は、逆方向リンク１１８によって用いられる周波数と異なる周波数を用い得る。
【００３０】
各アンテナグループおよび／またはこれらのアンテナグループが通信するよう設計されている領域は、アクセスネットワークのセクタと呼ばれることが多い。実施形態において、アンテナグループはそれぞれ、アクセスネットワーク１００によって網羅されている領域のセクタ中のアクセス端末と通信するように設計される。
【００３１】
送信リンク１２０および１２６を介した通信において、前記アクセスネットワーク１００の送信アンテナは、異なるアクセス端末１１６および１２２のための送信リンクの信号対ノイズ比を向上させるためにビームフォーミングを用い得る。また、その受信範囲を通じてランダムに分散しているアクセス端末への送信のためにビームフォーミングを用いるアクセスネットワークは、単一のアンテナを通じてそのアクセス端末全てへ送信するアクセスネットワークの場合よりも、隣接セルにおいてアクセス端末に対する干渉が減少する。
【００３２】
アクセスネットワーク（ＡＮ）は、固定ステーションまたは端末との通信に用いられるベースステーションであり得、アクセスポイント、ノードＢ、ベースステーション、強化ベースステーション、高度ノードＢ（ｅＮＢ）または他のいくつかの用語として呼ばれ得る。アクセス端末（ＡＴ）は、ユーザ機器（ＵＥ）、無線通信デバイス、端末、アクセス端末または他のいくつかの用語でも呼ばれ得る。
【００３３】
図２は、送信器システム２１０（アクセスネットワークとしても知られる）と、受信器システム２５０（アクセス端末（ＡＴ）またはＭＩＭＯシステム２００中のユーザ機器（ＵＥとしても知られる））との実施形態の簡単なブロック図である。送信器システム２１０において、複数のデータストリームのためのトラフィックデータがデータソース２１２から送信（ＴＸ）データプロセッサ２１４へ提供される。
【００３４】
一実施形態において、各データストリームが、各送信アンテナを介して送信される。ＴＸデータプロセッサ２１４は、符号化データを提供するために、該データストリームのために選択された特定の符号化スキームに基づいて、それぞれのデータストリームをトラフィックデータにフォーマットし、コード化し、インターリーブする。
【００３５】
各データストリームの符号化データは、ＯＦＤＭ技術を用いてパイロットデータと多重化され得る。パイロットデータは典型的には、公知の方法で処理される既知のデータパターンであり得、チャンネル応答を推定するために受信器システムにおいて用いられ得る。その後、当該データストリームが変調シンボルを提供ように選択された特定の変調スキーム（例えば、ＢＰＳＫ、ＱＰＳＫ、Ｍ−ＰＳＫ、ｏｒＭ−ＱＡＭ）に基づいて、多重化されたパイロットおよび符号化データについての各データストリームが変調される（すなわち、シンボルマップされる）。各データストリームについてのデータレート、符号化および変調は、プロセッサ２３０によって行われる命令によって決定され得る。
【００３６】
その後、全データストリームのための変調シンボルがＴＸ  ＭＩＭＯプロセッサ２２０へ提供されると、ＴＸ  ＭＩＭＯプロセッサ２２０は、変調シンボル（例えば、ＯＦＤＭのもの）をさらに処理し得る。その後、ＴＸＭＩＭＯプロセッサ２２０は、ＮＴ変調シンボルストリームをＮＴ送信器（ＴＭＴＲ）２２２ａ〜２２２ｔへ提供する。特定の実施形態において、ＴＸＭＩＭＯプロセッサ２２０は、データストリームのシンボルと、シンボルの送信元となるアンテナとへビームフォーミング重みを適用する。
【００３７】
各送信器２２２は、１つ以上のアナログ信号を提供するように各シンボルストリームを受信および処理し、さらにアナログ信号を調整（例えば、増幅、フィルタリングおよびアップコンバート）して、ＭＩＭＯチャンネルを介した送信に適した変調信号を提供する。その後、送信器２２２ａ〜２２２ｔからのＮＴ変調信号が、ＮＴアンテナ２２４ａ〜２２４ｔぞれぞれから送信される。
【００３８】
受信器システム２５０において、送信された変調信号は、ＮＲアンテナ２５２ａ〜２５２ｒによって受信され、各アンテナ２５２からの受信信号が各受信器（ＲＣＶＲ）２５４ａ〜２５４ｒへ提供される。各受信器２５４は、各受信信号を調整（例えば、フィルタリング、増幅およびダウンコンバート）し、調整された信号をデジタル化してサンプルを提供し、さらにこれらのサンプルを処理して、対応する「受信された」シンボルストリームを提供する。
【００３９】
その後、ＲＸデータプロセッサ２６０は、ＮＲ受信器２５４からＮＲ受信されたシンボルストリームを受信し、特定の受信器処理技術に基づいて処理して、ＮＴ「検出された」シンボルストリームを提供する。その後、ＲＸデータプロセッサ２６０は、各検出されたシンボルストリームを復調、デインタリーブおよび復号化して、当該データストリームについてのトラフィックデータを回復させる。ＲＸデータプロセッサ２６０による処理は、送信器システム２１０におけるＴＸＭＩＭＯプロセッサ２２０およびＴＸデータプロセッサ２１４によって行われる処理に対して補完的である。
【００４０】
プロセッサ２７０は、用いるべきプレコードマトリックス（以下に述べる）を周期的に決定する。プロセッサ２７０は、マトリックスインデックス部位およびランク値部位を含む逆方向リンクメッセージを編成する。
【００４１】
逆方向リンクメッセージは、通信リンクおよび／または受信されたデータストリームについて、多様な種類の情報を含み得る。その後、逆方向リンクメッセージは、同様に複数のデータストリームについてのトラフィックデータをデータソース２３６から受信するＴＸデータプロセッサ２３８によって処理され、変調器２８０によって変調され、送信器２５４ａ〜２５４ｒによって調整され、送信器システム２１０へ送り返される。
【００４２】
送信器システム２１０において、受信器システム２５０からの変調信号は、アンテナ２２４によって受信され、受信器２２２によって調整され、復調器２４０によって復調され、ＲＸデータプロセッサ２４２によって処理されて、受信器システム２５０から送信される予約リンクメッセージを抽出する。その後、プロセッサ２３０は、ビームフォーミング重みの決定に用いられるプレコードマトリックスを決定し、その後、抽出されたメッセージを処理する。
【００４３】
図３に移り、この図は、本発明の一実施形態による通信デバイスの別の簡単な機能ブロック図を示す。図３に示すように、無線通信システム内の通信デバイス３００は、図１中のＵＥ（またはＡＴ）１１６および１２２または図１中のベースステーション（またはＡＮ）１００の実現に用いることができ、無線通信システムは好適にはＬＴＥシステムである。通信デバイス３００は、入力デバイス３０２、出力デバイス３０４、制御回路３０６、中央処理装置（ＣＰＵ）３０８、メモリ３１０、プログラムコード３１２およびトランシーバ３１４を含み得る。制御回路３０６は、メモリ３１０中のプログラムコード３１２をＣＰＵ３０８を通じて実行して、通信デバイス３００の動作を制御する。通信デバイス３００は、入力デバイス３０２（例えば、キーボードまたはキーパッド）を通じてユーザによる信号入力を受信し得、出力デバイス３０４（例えば、モニタまたはスピーカ）を通じて出力画像および音声を出力し得る。トランシーバ３１４は無線信号の受信および送信に用いられ、受信された信号を制御回路３０６へ送達し、制御回路３０６によって生成された信号を無線的に出力する。無線通信システム内の通信デバイス３００を図１中のＡＮ１００の実現に用いてもよい。
【００４４】
図４は、本発明の一実施形態による、図３に示すプログラムコード３１２の簡単なブロック図である。本実施形態において、プログラムコード３１２は、アプリケーション層４００、第３層４０２、およ第２層４０４を含み、第１層４０６へ接続される。第３層４０２は、無線リソース制御を主に行う。第２層４０４は、リンク制御を主に行う。第１層４０６は、物理的接続を主に行う。
【００４５】
５Ｇ用の無線アクセスの概念について、ＤＯＣＯＭＯ  ５Ｇ  Ｗｈｉｔｅ  Ｐａｐｅｒに記載がある。１つの主要なポイントとして、低周波数帯および高周波数帯双方を効率的に統合する点がある。高周波数帯の場合、より幅広いスペクトルの生成が可能となるものの、高経路損失に起因して受信範囲が制約される。ＤＯＣＯＭＯ  ５Ｇ  Ｗｈｉｔｅ  Ｐａｐｅｒによれば、５Ｇシステムが（例えば、１または複数のマクロセルからなる）受信範囲層と、（例えば、小型セル（単数または複数）またはファントムセル（単数または複数）からなる）容量層とからなる２層構造を有することが提案されている。この受信範囲層は、基本的な受信範囲および可動性を提供するために、既存の低周波数帯を主に用いる。容量層は、高データレート送信を提供するために、新規の高周波数帯を主に用いる。受信範囲層は、強化ＬＴＥＲＡＴ（ロングタームエボリューション無線アクセス技術）によってサポートされ得、容量層は、高周波数帯の専用の新規のＲＡＴによってサポートされ得る。強化ＬＴＥＲＡＴと新規ＲＡＴとの間の緊密な相互作用（二重接続性）により、受信範囲および容量層の効率的統合が可能となる。次世代用の新規の無線技術（例えば、５Ｇ）において、ｅＮＢは、容量層をサポートする仮想セルを形成するように、複数の送信ポイント（ＴＰ）または送受信ポイント（ＴＲＰ）を制御してもよい。
【００４６】
３ＧＰＰ  ＴＳ  ３６．３００中に記載のような二重接続性は、ＲＲＣ＿ＣＯＮＮＥＣＴＥＤにおけるＵＥの動作のモードであり、マスター  Ｃｅｌｌ  Ｇｒｏｕｐ（すなわち、Ｐセル（一次セル）と任意に選択されるに１つ以上のＳＣｅｌｌ（二次セル）を含み、ＭｅＮＢと関連付けられるセルを供給するグループ）と、二次セルグループ（すなわち、ＰＳＣｅｌｌ（一次二次セル）および任意に選択されるに１つ以上のＳＣｅｌｌを含み、ＳｅＮＢと関連付けられるセルを供給するグループ）とで構成される。二重接続性と共に構成されたＵＥは、ＵＥが、２つの別個のスケジューラによって提供された無線リソースを利用するために構成され、２つのｅＮＢに配置され、Ｘ２インターフェースをまたいで非理想的なバックホールを介して接続されたＭｅＮＢ（マスターｅＮＢ）およびＳｅＮＢ（二次ｅＮＢ）を含むことを意味する。二重接続性のさらなる詳細について、３ＧＰＰＴＳ３６。３００中に記載が見受けられ得る。
【００４７】
さらに、容量層においてセル、ＴＰまたはＴＲＰは、ビームフォーミングを用い得る。ビームフォーミングは、指向性の信号の送信または受信のためのアンテナアレイにおいて用いられる信号処理技術である。これは、信号が特定の角度において建設的干渉を受けかつ他の角度において破壊的干渉を受けるように要素をフェーズドアレイ内に組み合わせることにより、主に達成される。ビームフォーミングは、空間的選択性を達成するように、送信端および受信端双方において用いられ得る。多指向性受信／送信と比較した向上が、受信／送信利得として主に公知である。
【００４８】
ビームの形成は、レーダーシステムにおいて頻繁に適用される。フェーズドアレイレーダーによって生成されるビームは、ムービングディッシュと比較して比較的幅狭であり、アジャイル性も高い。この特性により、レーダーは、航空機に加えて弾道ミサイルなどの小型の高速の標的を検出する能力を得ることができる。
【００４９】
同一チャンネル干渉低減による恩恵により、モバイル通信システム設計者にとって魅力的なビームフォーミングも可能になる。米国特許公開第２０１０／０１６５９１４において、ビームフォーミング技術に基づいたビーム分割多重アクセス（ＢＤＭＡ）の概念が開示されている。ＢＤＭＡにおいて、ベースステーションは、受信／送信利得が得られるよう、幅狭ビームを介してモバイルデバイスと通信し得る。加えて、異なるビーム中の２つのモバイルデバイスは、同一の無線リソースを同時に共有することができるため、モバイル通信システムの容量を大幅に増加させることができる。これを達成するため、ベースステーションは、モバイルデバイスが配置されたビームを知る必要がある。
【００５０】
３ＧＰＰＴＳ３６．３００中に記載のようなＬＴＥ中のフレーム構造は無線フレームによって構成され、各無線フレーム（例えば、１０ｍｓ）は１０個のサブフレームに分割される。各サブフレームは、２つのスロットを含み得る：
５  Ｅ−ＵＴＲＡ用の物理層
ダウンリンクおよびアップリンク送信は、１０ｍｓの継続時間の無線フレームによって構成される。次の２つの無線フレーム構造がサポートされる：
−  ＦＤＤに適用可能なタイプ１；
−  ＴＤＤに適用可能なタイプ２。
フレーム構造タイプ１を図５．１−１に示す。それぞれの１０ｍｓ無線フレームが、１０個の均等なサイズのサブフレームに分割される。各サブフレームは、２つの均等なサイズのスロットからなる。ＦＤＤについて、互いに１０ｍｓ間隔で、１０個のサブフレームがダウンリンク送信のために利用可能であり、１０個のサブフレームがアップリンク送信のために利用可能である。アップリンクおよびダウンリンク送信は、周波数領域内において分割される。
図５．１−１：フレーム構造タイプ１［本出願の図５として再生される］
フレーム構造タイプ２を図５．１−２に示す。各１０ｍｓ無線フレームは、それぞれ５ｍｓの２つのハーフフレームからなる。各ハーフフレームは、長さ０．５ｍｓの８個のスロットと、３つの特別な領域（ＤｗＰＴＳ、ＧＰおよびＵｐＰＴＳ）とからなる。ＤｗＰＴＳ、ＧＰおよびＵｐＰＴＳの合計長さが１ｍｓに等しい場合、ＤｗＰＴＳおよびＵｐＰＴＳの長さが構成可能である。５ｍｓおよび１０ｍｓの切り換えポイント双方が周期的にサポートされる。全構成中のサブフレーム１および５ｍｓの切り換えポイントにおける構成中のサブフレーム６は、ＤｗＰＴＳ、ＧＰおよびＵｐＰＴＳが周期的存在する。１０ｍｓの切り換えポイントを有する構成におけるサブフレーム６は、周期的にＤｗＰＴＳのみが存在する。他の全てのサブフレームは、２つの均等なサイズのスロットからなる。
ＴＤＤについて、ＧＰは、アップリンクからダウンリンクへの遷移のために予約される。他のサブフレーム／フィールドが、ダウンリンクまたはアップリンク送信のために割り当てられる。アップリンク送信およびダウンリンク送信は、時間領域内において分割される。
図５．１−２：（５ｍｓ切り換えポイント周期性のための）フレーム構造タイプ２［本出願の図６として再現する］
表５．１−１：アップリンクダウンリンク割り当て［本出願の図７として再現する］
【００５１】
各ダウンリンクスロットは、以下の３ＧＰＰＴＳ３６．２１１の図６．２．２−１および表６．２．３−１（それぞれ、本出願の図８および図９として再現する）に示すような
2018196145.tif 000003
ＯＦＤＭシンボルを含む。
【００５２】
システムフレーム番号（ＳＦＮ）は、周期的に変更され、システム情報（すなわち、（３ＧＰＰ３６．３３１に記載のような）ＭａｓｔｅｒＩｎｆｏｒｍａｔｉｏｎＢｌｏｃｋ）によって提供されて、ＵＥが無線フレームのフレーム番号を特定することを支援する。ＭａｓｔｅｒＩｎｆｏｒｍａｔｉｏｎＢｌｏｃｋは、ＳＦＮだけでなく、以下のような他のパラメータ（例えば、ｄｌ−Ｂａｎｄｗｉｄｔｈおよびｐｈｉｃｈ−Ｃｏｎｆｉｇ）も含む：
‐ＭａｓｔｅｒＩｎｆｏｒｍａｔｉｏｎＢｌｏｃｋ
ＭａｓｔｅｒＩｎｆｏｒｍａｔｉｏｎＢｌｏｃｋは、ＢＣＨにてシステム情報を含む。信号伝達無線ベアラ：Ｎ／ＡＲＬＣ−ＳＡＰ：ＴＭ論理チャンネル：ＢＣＣＨ方向：Ｅ‐ＵＴＲＡＮからＵＥＭａｓｔｅｒＩｎｆｏｒｍａｔｉｏｎＢｌｏｃｋ
2018196145.tif 000004
【００５３】
ＳＦＮに基づいて、ＵＥは、３ＧＰＰＴＳ３６．２１１、ＴＳ３６．３３１およびＴＳ３６．２１３に記載のように、ＵＬ（アップリンク）送信を行うタイミング（例えば、ＳＲ（スケジューリングリクエスト）、ＳＲＳ（音声生成基準信号）、ＣＳＩ（チャンネル状態情報）報告および／またはランダムアクセスプリアンブルのタイミング）を決定し得る。あるいは、３ＧＰＰＴＳ３６．３２１に記載のように、ＵＥがＳＦＮを用いて、ＤＲＸ（不連続受信）動作のための活性時間を決定することもできる。
【００５４】
ＭＩＢは、３ＧＰＰＴＳ３６．２１１中に以下に述べるように、無線フレーム中の第１のサブフレームの第２のスロット中の最初のの４個の（４）シンボルによって行われる。
６．６．４ リソース要素へのマッピング
各アンテナポートのための複素値シンボル
2018196145.tif 000005
のブロックは、
2018196145.tif 000006
を満たす各無線フレーム内から開始する４個の連続する無線フレーム時において送信され、
2018196145.tif 000007
から開始してリソース要素
2018196145.tif 000008
へ連続的にマッピングされる。基準信号の送信のために予約されていないリソース要素
2018196145.tif 000009
へのマッピングは、先ずインデックス
2018196145.tif 000010
、次にサブフレーム０中のスロット１中のインデックス
2018196145.tif 000011
最後に無線フレーム番号の昇順で行われる。リソース要素インデックスは、以下によって得られる
2018196145.tif 000012
ここで、基準信号のために予約されたリソース要素は除外される。マッピング動作は、実際の構成と無関係に存在するアンテナポート０−３のためのセル固有基準信号をとる。ＵＥは、リソース要素が上記のマッピング動作中の基準信号のために予約されるべきものであるが、基準信号の送信のためのものはＰＤＳＣＨ送信のために利用することはできないと推測する。ＵＥは、これらのリソース要素についての他のいかなる推測も行わない。
【００５５】
同期信号（例えば、セル中のＰＳＳ（一次同期信号）およびＳＳＳ（第２の同期信号））の送信の主な目的は、セル中のＵＥがダウンリンクタイミング（すなわち、無線フレーム境界およびサブフレーム境界）を得ることである。ＰＳＳおよびＳＳＳはそれぞれ、以下の３ＧＰＰＴＳ３６．２１１に記載のように、ＳＦＮを搬送するシンボルと異なる１つのシンボルによって搬送される。
６．１１．１．２ リソース要素へのマッピング
リソース要素への順序のマッピングは、フレーム構造に依存する。ＵＥは、一次同期信号がダウンリンク基準信号のいずれかと同一のアンテナポートで送信されるものと推測しない。ＵＥは、一次同期信号の任意の送信インスタンスが一次同期信号の他の任意の送信インスタンスのために用いられる同一のアンテナポートまたはポートで送信されるものとして推測しない。
順序
2018196145.tif 000013
は、以下に基づいて、ソース要素へマッピングされる。
2018196145.tif 000014
フレーム構造タイプ１の場合、一次同期信号は、スロット０および１０中の最終ＯＦＤＭシンボルへマッピングされる。
フレーム構造タイプ２の場合、一次同期信号は、サブフレーム１および６中の第３のＯＦＤＭシンボルへマッピングされる。一次同期信号の送信に用いられるＯＦＤＭシンボル中のリソース要素
2018196145.tif 000015
は、以下において、
2018196145.tif 000016
予約され、一次同期信号の送信のために用いられない。
６．１１．２．２ リソース要素へのマッピング
リソース要素への順序のマッピングは、フレーム構造に依存する。フレーム構造タイプ１のためのサブフレームおよびフレーム構造タイプ２のためのハーフフレーム内において、一次同期信号のためのものと同一のアンテナポートは、二次同期信号のために用いられる。
順序
2018196145.tif 000017
は、以下に従ってリソース要素へマッピングされる。
2018196145.tif 000018
リソース要素
2018196145.tif 000019
は、ここで、
2018196145.tif 000020
と予約され、二次同期信号の送信には用いられない。
【００５６】
ＭＥＴＩＳ  デリバラブルＤ２．４によって提案されたＵＤＮシステムのためのＴＤＤ最適化物理的サブフレーム構造を図１０に示す。図１０は、以下に羅列する主要な設計原理を適用する。
・双方向（ＤＬおよびＵＬリソース双方を含む）制御部は、各サブフレームの開始部分へ埋設され、データ部から時間分離される。
・１つのサブフレーム中のデータ部は、送信または受信のためのデータシンボルを含む。チャンネルおよびその共分散マトリックスを推測するために用いられる復調基準信号（ＤＭＲＳ）シンボルは、例えば動的データ部中の第１のＯＦＤＭシンボル内に配置され、データのような同一のベクトル／マトリックスで事前符号化され得る。
・短いサブフレーム長さ（例えば、６０ｋＨｚＳＣ間隔を推測した場合のｃｍＷ周波数上の０．２５ｍｓ）が実行可能である。整合ＯＦＤＭ概念の原理に従うことにより、ｍｍＷへ移動する際にフレーム数霊術がさらにスケールされて、さらに短いフレーム長さ（例えば、５０μｓのオーダーのもの）に繋がる。
・周波数方向において、スペクトルを分割して、割り当て可能な周波数リソースを分離することができる。
【００５７】
サブフレームの双方向制御部により、ネットワーク中のデバイスが制御信号（例えば、各サブフレーム中のスケジューリングリクエスト（ＳＲ）およびスケジューリンググラント（ＳＧ））の送受信を行うことを可能にする。スケジューリング関連制御情報に加えて、制御部位は、セル検出および選択、周波数領域におけるスケジューリング、プレコーダー選択およびチャンネル推測用いられる基準信号（ＲＳ）および同期信号も含み得る。
【００５８】
ＬＴＥにおいて、セル固有基準信号（ＣＲＳ）は、３ＧＰＰＴＳ３６．２１１に記載のように、セル中の全てのダウンリンクサブフレームで送信される。そのため、ＣＲＳを用いて、ＵＥ測定（例えば、基準信号受信出力（ＲＳＲＰ）または基準信号受信品質（ＲＳＲＱ））およびＰＤＣＣＨ（物理的下り制御チャンネル）復調をサポートすることができる。
【００５９】
基準信号（ＲＳ）について、ＭＥＴＩＳデリバラブルＤ２．４は：「スケジューリング関連制御情報に加えて、ＴＤＤサブフレーム構造中の制御部は、セル検出および選択、周波数領域中のスケジューリング、プレコーダー選択およびチャンネル推測に用いられる基準信号（ＲＳ）および同期信号も含み得る。」と言及する。
【００６０】
ＵＥとベースステーションとの通信が行われるビーム（単数または複数）を発見するために、ＤＯＣＯＭＯ  ５Ｇ  Ｗｈｉｔｅ  Ｐａｐｅｒにおいて、ＵＥがその位置および速度をベースステーションへ送った後、ベースステーションが受信位置および速度に基づいてＵＥのダウンリンクビーム方向を決定することが提案されている。しかし、このようにして、ベースステーションは、モバイルセルラーシステム中の極めて複雑な伝播環境に起因して、ＵＥのビームを高精度に決定することができない場合がある。例えば、ＵＥとベースステーションとの間の直線距離（ＬＯＳ）がブロックされ得、通信が他の経路（非ＬＯＳ）を介して行われ得る。加えて、典型的にはセル内の全ＵＥが位置決め能力を備えているわけではない（例えば、ローエンドデバイス）。そのため、セル内に多数のローエンドデバイスが存在する場合、ＢＤＭＡ（ビーム分割多重アクセス）の恩恵を享受することができなくなる。ＵＥのビームを決定するための他の方法も考えられ得る。
【００６１】
米国仮出願シリアル番号第６２／１０７，８１４号（タイトル：「Ｍｅｔｈｏｄ  ａｎｄ  Ａｐｐａｒａｔｕｓ  ｆｏｒ  Ｂｅａｍ  Ｔｒａｃｋｉｎｇ  ｉｎ  ａ  Ｗｉｒｅｌｅｓｓ  Ｃｏｍｍｕｎｉｃａｔｉｏｎ  Ｓｙｓｔｅｍ」）において、セル内の固定された送信および／または受信のためにベースステーションによって付加されるビームパターンが検討されている。すなわち、セル内のビームの数およびビーム幅が固定され、異なる方向におけるビームのビーム幅が同じかまたは異なり得る。２本の隣接ビーム間の複数の伝播経路または重複に起因して、複数のビームがベースステーションとの通信のためにＵＥによって用いられ得る可能性が高い。この状況において、ベースステーションは、ＵＥによって用いられるビームセットを決定する必要がある。
【００６２】
より幅広の帯域幅を備えた多数のアンテナの場合を考えると、アンテナ要素毎に１つのトランシーバを設けてセル、ＴＰまたはＴＲＰ内にビームフォーミングを実行することは、全体的コストおよび電力消費の面において極めて困難である。その結果、セル、ＴＰまたはＴＲＰが一度に生成することが可能なビーム最大数は、セル、ＴＰまたはＴＲＰによって網羅されるビーム総数よりも少数となり得る（例えば、アナログビーム形成器およびデジタルプレコードからなるハイブリッドビーム形成器がセル、ＴＰまたはＴＲＰによって用いられる場合）。そのため、１回分のＣＲＳ送信を完了するためそしてＣＲＳが事前規定されたビーム（すなわち、ビームセット）で送信されるたびに、セル、ＴＰまたはＴＲＰがセル、ＴＰまたはＴＲＰの全ビームを操作することを数回行う必要があり得る。図１１に示すように、セル内に３本（３つ）のビームセットが存在する。各ＣＲＳ送信期間において、各ビームセット中の全ビーム上のビームセットに対してＣＲＳ送信が行われる。さらに、全てのビームセットに対して１回分のＣＲＳ送信を完了するためには、１つのＣＲＳ送信期間においてＣＲＳ送信を３回行う必要がある。
【００６３】
ＬＴＥにおいて、ＵＥは、ＣＲＳ（セル固有基準信号）上のチャンネル推測に従ってＰＤＣＣＨ復調を行う。ビームフォーミングを適用するセル、ＴＰまたはＴＲＰ内のＰＤＣＣＨ復調のためのチャンネル推測は、ビーム領域内において行う必要がある（すなわち、ＵＥは、ＵＥへのＰＤＣＣＨ送信に用いられるビーム上のＣＲＳを検出する必要がある）ことが考えられる。しかし、ハイブリッドビーム形成器が用いられる場合、ＵＥが各サブフレーム中のＣＲＳを受信することが必ずしも可能ではない。なぜならば、ＣＲＳは、ＰＤＣＣＨが送信されるサブフレーム中に存在し得ないからである。ＣＲＳがＰＤＣＣＨと同じサブフレーム内に存在し得る場合でも、ＣＲＳおよびＰＤＣＣＨを異なるビーム上に載置して送信することが可能である。例えば、図１２に示すように、ＣＲＳがビーム１、２、３＆４で送信され、ＰＤＣＣＨはビーム９でＵＥへ送信される。そのため、ＵＥがＰＤＣＣＨ復調の際にＣＲＳに依存することは実行不可能である。そのため、ＵＥ測定（例えば、ＲＳＲＰまたはＲＳＲＱ）のためのＣＲＳに加えて、復調目的のためにＰＤＣＣＨ送信に付随するように、新規のＲＳ（例えば、ＤＭＲＳ）をセル、ＴＰまたはＴＲＰ内において定義する必要がある。１つの可能な方法として、ベースステーションがＰＤＣＣＨが送信される同一のサブフレーム（またはシンボル）内でＤＭＲＳを送る方法がある。
【００６４】
図１３は、１つの例示的実施形態による、セル、送信ポイント（ＴＰ）または送受信ポイント（ＴＲＰ）の観点からみたフローチャート１３００である。ステップ１３０５において、セル、ＴＰまたはＴＲＰは、測定のために第１のＲＳを周期的にブロードキャストし、ここで、第１のＲＳが異なるビーム上の各期間内に複数の状況（またはタイミング）において送信される。ステップ１３１０において、セル、ＴＰまたはＴＲＰは、ＰＤＣＣＨ復調のために第２のＲＳをＵＥへ送信し、ここで、第２のＲＳは、ＵＥのビームセット中の複数のビームに乗せてＰＤＣＣＨが送信されるサブフレーム（またはシンボル）を用いて送信される。ステップ１３１５において、セル、ＴＰまたはＴＲＰは、ダウンリンク送信およびアップリンク受信を介してＵＥと通信し、ここで、ダウンリンク送信およびアップリンク受信は無線フレームとして構成され、無線フレームは複数のサブフレームを含み、サブフレームは複数のシンボルを含む。
【００６５】
再度図３および図４を参照して、セル、送信ポイント（ＴＰ）または送受信ポイント（ＴＲＰ）の観点からの一実施形態において、デバイス３００は、メモリ３１０中に保存されたプログラムコード３１２を含む。ＣＰＵ３０８は、セル、ＴＰまたはＴＲＰが以下のことを行うことを可能にするために、プログラムコード３１２を実行することができる：（ｉ）測定のために第１のＲＳを周期的にブロードキャストすることであって、第１のＲＳは、異なるビーム上の各期間において複数の状況（またはタイミング）において送信される、ことと、（ｉｉ）ＰＤＣＣＨ復調のために第２のＲＳをＵＥへ送信することであって、第２のＲＳは、ＰＤＣＣＨが送信されるサブフレーム（またはシンボル）を用いてＵＥのビームセット中の複数のビームに乗せてＰ送信される、こと。一実施形態において、ＣＰＵは、セル、ＴＰまたはＴＲＰがダウンリンク送信およびアップリンク受信を介してＵＥと通信することを可能にするためのプログラムコード３１２をさらに実行し得、ここで、ダウンリンク送信およびアップリンク受信は無線フレームとして構成され、無線フレームは複数のサブフレームを含み、サブフレームは複数のシンボルを含む。さらに、ＣＰＵ３０８は、上記したアクションおよびステップまたは本明細書中記載される他のもの全てを行うためのプログラムコード３１２を実行し得る。
【００６６】
図１４は、１つの例示的実施形態による、ＵＥの観点からのフローチャート１４００である。ステップ１４０５において、ＵＥは、第１のＲＳに対して測定を行い、第１のＲＳは、各期間の複数の状況（またはタイミング）において異なるビームで、セル、送信ポイント（ＴＰ）または送受信ポイント（ＴＲＰ）によって周期的に送信される。ステップ１４１０において、ＵＥは、ＰＤＣＣＨ復調のための第２のＲＳを受信し、第２のＲＳは、セル、ＴＰまたはＴＲＰによってＰＤＣＣＨが送信される同一のサブフレーム（またはシンボル）を用いてＵＥのビームセット中の複数のビームに乗せて送信される。ステップ１４１５において、ＵＥは、セル、ＴＰまたはＴＲＰとアップリンク送信およびダウンリンク受信を介して通信し、ここで、アップリンク送信およびダウンリンク受信は無線フレームとして構成され、無線フレームは複数のサブフレームを含み、サブフレームは複数のシンボルを含む。
【００６７】
図３および図４を再度参照して、ＵＥの観点からの一実施形態において、デバイス３００は、メモリ３１０中に保存されたプログラムコード３１２を含む。ＣＰＵ３０８は、ＵＥが以下のことを行うことを可能にするためのプログラムコード３１２を実行し得る：（ｉ）ＰＤＣＣＨ復調のための第２のＲＳを受信することであって、第２のＲＳは、セル、送信ポイント（ＴＰ）または送受信ポイント（ＴＲＰ）によってＰＤＣＣＨが送信される同一のサブフレーム（またはシンボル）を用いてＵＥのビームセット中の複数のビームに乗せて周期的に送信される、ことと、（ｉｉ）ＰＤＣＣＨ復調のための第２のＲＳを受信することであって、第２のＲＳは、セル、ＴＰまたはＴＲＰにより、ＰＤＣＣＨが送信される同一のサブフレーム（またはシンボル）を用いてＵＥのビームセット中の複数のビームに乗せて送信される。一実施形態において、ＣＰＵは、ＵＥがセル、ＴＰまたはＴＲＰとアップリンク送信およびダウンリンク受信を介して通信することを可能にするためのプログラムコード３１２をさらに実行し得、ここで、アップリンク送信およびダウンリンク受信は無線フレームとして構成され、無線フレームは複数のサブフレームを含み、サブフレームは複数のシンボルを含む。さらに、ＣＰＵ３０８は、上記したアクションおよびステップまたは本明細書中記載される他のもの全てを行うためのプログラムコード３１２を実行し得る。
【００６８】
上記の実施形態について、セル、ＴＰまたはＴＲＰ中の合計ビーム数は固定され得る。加えて、セル、ＴＰまたはＴＲＰ中の各ビームの方向およびビーム幅は固定され得る。
【００６９】
一実施形態において、無線フレーム中の各サブフレームは、ダウンリンク制御部位、アップリンク制御部位および／またはデータ部位を含み得る。さらに、第１のＲＳおよび第２のＲＳは、ダウンリンク制御部位で送信される。加えて、ＵＥに関連するダウンリンク送信および／またはアップリンク受信は、セル、ＴＰまたはＴＲＰによってＵＥのビームセット中の複数のビームで行われ得る。
【００７０】
上記したように、ＳＦＮは、多様な目的のために用いられ得る。その場合でも、容量層上のセル、ＴＰまたはＴＲＰによって供給されるＵＥは、セル、ＴＰまたはＴＲＰのＳＦＮを知る必要がある。現行のＭＩＢ（マスター情報ブロック）は、ダウンリンク帯域幅、ＰＨＩＣＨ（物理的ハイブリッドＡＲＱ指示チャンネル）構成およびセル、ＴＰまたはＴＲＰのＳＦＮについての情報を含む。ＵＥはセル、ＴＰまたはＴＲＰへ二重接続性を介して接続するため、ダウンリンク帯域幅およびＰＨＩＣＨ構成をＭｅＮＢを介して提供することができる。しかし、ＳＦＮは場合によって変更され、また２つのベースステーション（ＭｅＮＢおよびＳｅＮＢ）が非理想的な帰路を介して固定遅延および許容遅延無しに接続される可能性があるため、ＳＦＮをＭｅＮＢを介して提供することはできない。この状況下において、セル、ＴＰまたはＴＲＰの制御信号オーバーヘッドを低減するために、セル、ＴＰまたはＴＲＰによって供給されるＵＥへＳＦＮを効率的に提供するための向上について検討する必要がある。
【００７１】
ＳＦＮを提供する効率を向上させるために、異なる局面が存在する。以下の向上は、個別にまたは共に適用することができる。
●第１の局面は、ＳＦＮを提供する信号伝達のサイズである。ＬＴＥにおいて、ＳＦＮはＭａｓｔｅｒＩｎｆｏｒｍａｔｉｏｎＢｌｏｃｋによって提供され、ＭａｓｔｅｒＩｎｆｏｒｍａｔｉｏｎＢｌｏｃｋは、ｄｌ−Ｂａｎｄｗｉｄｔｈおよびｐｈｉｃｈ−Ｃｏｎｆｉｇも含む。ＵＥは二重接続性によって容量層上のセル、ＴＰまたはＴＲＰへ接続すると推測されるため、セル、ＴＰまたはＴＲＰは、３ＧＰＰＴＳ３６．３３１に記載のように、ＭｅＮＢおよびＳｅＮＢ間の通信に基づいてＭｅＮＢによって構成される。その後、ｄｌ−Ｂａｎｄｗｉｄｔｈおよびｐｈｉｃｈ−Ｃｏｎｆｉｇは動的に変更されないため、セル、ＴＰまたはＴＲＰを構成する場合、ｄｌ−Ｂａｎｄｗｉｄｔｈおよびｐｈｉｃｈ−ＣｏｎｆｉｇをＭｅＮＢを介して提供することができる。その場合、ＳＦＮを提供する信号伝達は、ｄｌ−Ｂａｎｄｗｉｄｔｈおよびｐｈｉｃｈ−Ｃｏｎｆｉｇを含む必要は無い。信号伝達のオーバーヘッドを低減することができる。
●第２の局面は、ＳＦＮを提供する際の時間間隔の長さである。時間間隔の長さは、ＳＦＮの提供効率に関連する。そのため、一般的な概念は、ＳＦＮ全体をサブフレームの１つのシンボル中に入れて送信すべきというものである。ＳＦＮ多指向性送信のためまたはいくつかのビームでＳＦＮを提供するために１つのシンボルのみが用いられるため、ＳＦＮを提供するコストを最小限に抑えることができ、また、ＳＦＮ受信のためのＵＥ電力消費を低減することができる。
●第３の局面として、ＳＦＮをＳＦＮと特性が類似する他の情報と共に送信することができる場合（例えば、情報を周期的に提供しかつ全ＵＥに必要である場合）、（例えば、リソース効率を増加させかつ受信のためのＵＥ電力消費を低減させるために）ＳＦＮを効率的に提供することができる。そのため、一般的な概念としては、ＳＦＮ全体またはＳＦＮの一部を同期信号が送信されるサブフレームのシンボルで送信される。より詳細には、ＳＦＮおよび同期信号は、異なる送信周期性を持ち得る。あるいは、ＳＦＮの送信周期性は、同期信号の送信周期性に等しいかまたはそれ以上であり得る。より詳細には、ＳＦＮの送信周期性は、同期信号の送信周期性の倍数であり得る。
【００７２】
セル、ＴＰまたはＴＲＰを制御するネットワークノードは、対応する送信（単数または複数）を行うために上記の向上（単数または複数）を適用し得る。セル、ＴＰまたはＴＲＰによって供給されるＵＥも、対応する受信（単数または複数）を行うために上記の向上（単数または複数）を適用し得る。
【００７３】
図１５〜図１７は、本発明の例示的実施形態を示す。さらに、別の実施形態において、本発明は、図１０に示すＵＤＮ（超高密度ネットワーク）のための物理的サブフレーム構造へ適用され得る。
【００７４】
図１５は、ＵＥがＳＦＮと、ＢＳ（ベースステーション）２によって制御されるセル２のＤＬ帯域幅情報とを得る様態の例示的実施形態である。ＤＬ帯域幅は、セル２のＳＦＮを含まない構成において、ＢＳ１（例えば、ＭｅＮＢ）によって制御されるセル１を介して提供される。その場合、セル２のＳＦＮは、セル２のＤＬ帯域幅情報を含まない信号伝達においてセル２を介して提供される。ＳＦＮを搬送する信号伝達のオーバーヘッドを低減することができる。
【００７５】
図１６は、ＳＦＮを信号伝達する様態の例示的実施形態である。ＳＦＮ全体が、サブフレームの１つのシンボルで送信される。ＳＦＮを搬送する信号伝達は、帯域幅全体を潜入しないかまたはその内部に分散し得ない。ＳＦＮ多指向性送信のためまたはいくつかのビーム上のＳＦＮの提供のために用いられるシンボルは１つだけであるため、ＳＦＮを提供するコストを最小限にすることができ、ＳＦＮ受信のためのＵＥ電力消費を低減することができる。
【００７６】
図１７は、ＳＦＮおよび基準信号を１つのシンボルで信号伝達する様態の例示的実施形態である。ＳＦＮは、基準信号が送信されるサブフレームのシンボルで送信される。ＳＦＮおよび基準信号は、シンボル内の異なる周波数リソースを占有する。
【００７７】
図１８は、ネットワークノードの観点からの１つの例示的実施形態によるフローチャート１８００である。フローチャート１８００は、第１のネットワークノードが第１のセル、ＴＰまたはＴＲＰを制御する方法を主に示す。ステップ１８０５において、第１のネットワークノードは、第１のセル、ＴＰまたはＴＲＰにおいて、第１のセル、ＴＰまたはＴＲＰのＳＦＮを示す第１の信号をブロードキャストし、第１の信号は、第１のセル、ＴＰまたはＴＲＰの帯域幅に関連する情報を含まない。
【００７８】
再度図３および図４を参照して、デバイス３００は、プログラムコード３１２を含む。ＣＰＵ３０８は、第１のネットワークノードが第１のセル、ＴＰまたはＴＲＰにおいて、第１のセル、ＴＰまたはＴＲＰのＳＦＮを示す第１の信号をブロードキャストすることを可能にするためのプログラムコード３１２を実行し得、ここで、第１の信号は、第１のセル、ＴＰまたはＴＲＰの帯域幅に関連する情報を含まない。加えて、ＣＰＵ３０８は、上記したアクションおよびステップまたは本明細書中記載される他のもの全てを行うためのプログラムコード３１２を実行し得る。
【００７９】
図１９は、ＵＥの観点からの１つの例示的実施形態によるフローチャート１９００である。ステップ１９０５において、ＵＥは、第１のセル、ＴＰまたはＴＲＰの帯域幅に関連する情報を示す第２の信号伝達を第２のセル、ＴＰまたはＴＲＰ内において受信する。ステップ１９１０において、ＵＥは、第１のセル、ＴＰまたはＴＲＰのＳＦＮを示す第１の信号を第１のセル、ＴＰまたはＴＲＰ中において受信し、ここで、第１の信号は、第１のセル、ＴＰまたはＴＲＰの帯域幅に関連する情報を含まない。
【００８０】
再度図３および図４を参照して、ＵＥの観点からの一実施形態において、デバイス３００は、送信器のメモリ３１０中に保存されたプログラムコード３１２を含む。ＣＰＵ３０８は、ＵＥが以下を行うことを可能にするプログラムコード３１２を実行し得る：（ｉ）第１のセル、ＴＰまたはＴＲＰの帯域幅に関連する情報を示す第２の信号伝達を第２のセル、ＴＰまたはＴＲＰ中おいて受信することと、（ｉｉ）第１のセル、ＴＰまたはＴＲＰのＳＦＮを示す第１の信号を第１のセル、ＴＰまたはＴＲＰ中おいて受信することであって、第１の信号は、第１のセル、ＴＰまたはＴＲＰの帯域幅に関連する情報を含まない。加えて、ＣＰＵ３０８は、上記したアクションおよびステップまたは本明細書中記載される他のもの全てを行うためのプログラムコード３１２を実行し得る。
【００８１】
上記の実施形態について、第１のセル、ＴＰまたはＴＲＰは、第１のネットワークノードによって制御され得る。さらに、第２のセルは、ＭＣＧ（マスターセルグループ）セルであり得る。加えて、第２のセル、ＴＰまたはＴＲＰは受信範囲層内にあり得、第２のネットワークノードによって制御され得る。第２のネットワークノードは、ベースステーションまたはＭｅＮＢであり得る。
【００８２】
一実施形態において、第２の信号伝達は、ＵＥのための供給セル、ＴＰまたはＴＲＰとして第１のセル、ＴＰまたはＴＲＰを構成し得る。第２の信号伝達は、ＰＨＩＣＨのための構成を示し得る。さらに、ＵＥは、第１のセル、ＴＰまたはＴＲＰおよび第２のセル、ＴＰまたはＴＲＰへ二重接続性によって接続され得る（例えば、第１のセル、ＴＰまたはＴＲＰおよび第２のセル、ＴＰまたはＴＲＰは、異なるネットワークノードによって制御される）。
【００８３】
図２０は、ネットワークノードの観点からの１つの例示的実施形態によるフローチャート２０００である。フローチャート２０００は、第１のネットワークノードが第１のセル、ＴＰまたはＴＲＰを制御する方法を主に示す。ステップ２００５において、第１のネットワークノードは、第１のネットワークノードによって制御される第１のセル、ＴＰまたはＴＲＰにおいて、第１のセル、ＴＰまたはＴＲＰのＳＦＮを示す第１の信号をブロードキャストし、ここで、第１の信号は、サブフレームのシンボルで送信され、シンボルも、少なくとも同期信号を送信する。
【００８４】
再度図３および図４を参照して、第１のネットワークノードの観点からの一実施形態において、デバイス３００は、送信器のメモリ３１０中に保存されたプログラムコード３１２を含む。ＣＰＵ３０８は、以下を行うためのプログラムコード３１２を実行し得る：（ｉ）第１のネットワークノードによって制御される第１のセル、ＴＰまたはＴＲＰのＳＦＮを示す第１の信号をブロードキャストすることであって、第１の信号は、サブフレームのシンボル中に入れて送信され、シンボルも少なくとも同期信号を搬送する。加えて、ＣＰＵ３０８は、上記したアクションおよびステップまたは本明細書中記載される他のもの全てを行うためのプログラムコード３１２を実行し得る。
【００８５】
図２１は、ＵＥの観点からの１つの例示的実施形態によるフローチャート２１００である。ステップ２１０５において、ＵＥは、第１のセル、ＴＰまたはＴＲＰのＳＦＮを示す第１の信号を第１のセル、ＴＰまたはＴＲＰ中おいて受信し、ここで、第１の信号はサブフレームのシンボルで送信され、シンボルも少なくとも同期信号を送信する。
【００８６】
再度図３および図４を参照して、ＵＥの観点からの一実施形態において、デバイス３００は、送信器のメモリ３１０中に保存されたプログラムコード３１２を含む。ＣＰＵ３０８は、ＵＥが第１のセル、ＴＰまたはＴＲＰのＳＦＮを示す第１の信号を第１のセル、ＴＰまたはＴＲＰで受信することを可能にするプログラムコード３１２を実行し得、ここで、第１の信号は、サブフレームのシンボルで送信され、シンボルも少なくとも同期信号を搬送する。加えて、ＣＰＵ３０８は、上記したアクションおよびステップまたは本明細書中記載される他のもの全てを行うためのプログラムコード３１２を実行し得る。
【００８７】
上記の実施形態について、ＵＥも、サブフレームの同一シンボル中の同期信号を受信し得る。一実施形態において、同期信号は、サブフレームの１つよりも多くのシンボルを占有し得る。あるいは、同期信号は、サブフレームのシンボルのみを占有する。すなわち、同期信号全体を１つのシンボルで送信することができる。さらに、第１の信号は、サブフレームの１つよりも多くのシンボルを占有し得る。あるいは、第１の信号は、サブフレームのシンボルを占有するだけである。すなわち、第１の信号全体を１つのシンボルで送信することができる。一実施形態において、シンボルは、第１の信号を送信するためのフィールドを含み得る。
【００８８】
一実施形態において、第１の信号および同期信号は、異なる送信周期性を持ち得る。第１の信号の送信周期性は、同期信号の送信周期性よりも大きくすることができる。第１の信号の送信周期性は、同期信号の送信周期性の倍数であり得る。あるいは、第１の信号の送信周期性は、同期信号の送信周期性に等しい。
【００８９】
一実施形態において、シンボルは、ビームを形成するためのものまたは多指向性送信のためのものであり得る。加えて、シンボルは、ＯＦＤＭ（直交周波数分割多重化）シンボルであり得る。シンボルは、サブフレーム中の第１のシンボル、サブフレーム中の最終シンボルまたはサブフレームの制御領域（または制御部位）中の最終シンボルであり得る。さらに、同期信号は、ＰＳＳ（一次同期信号）またはＳＳＳ（二次同期信号）であり得る。
【００９０】
一実施形態において、第１の信号は、ＰＨＩＣＨのための構成を示さない場合がある。あるいは、第１の信号は、ＳＦＮは示し得るが、他の構成は示さない。さらに、第１の信号は、システム情報、ＭａｓｔｅｒＩｎｆｏｒｍａｔｉｏｎＢｌｏｃｋ、ランダムアクセス応答、またはＭＡＣ（ミディアムアクセス制御）制御要素であり得る。加えて、第１の信号は、ブロードキャストしてもよいし、周期的に送信してもよいし、ビームフォーミングによって送信してもよいし、かつ／またはサブフレームの制御領域（または制御部位）で送信してもよい。さらに、第１の信号の送信は、多指向性であり得る。
【００９１】
一実施形態において、第１の信号は、ＳＦＮの部分的ビット、ＳＦＮのｎ個の最上位ビット、またはＳＦＮの全ビットを示し得る。
【００９２】
一実施形態において、第１のネットワークノードは、ベースステーションまたはＳｅＮＢであり得る。加えて、第１のセルは、ＳＣＧセルであってもよいし、かつ／または容量層中に存在してもよい。
【００９３】
本開示の多様な局面について上述してきた。本明細書中の教示内容は、後半な多様な形態で具現化され得、本明細書中に開示される任意の特定の構造、機能またはこれらの双方はあくまで代表的なものであることが明らかである。本明細書中に開示される教示内容に基づけば、当業者は、本明細書中に開示される局面を他の任意の局面から独立して実行することができ、これらの局面のうち２つ以上を多様に組み合わせることが可能であることを理解する。例えば、本明細書中に記載の任意の数の局面を用いて装置を実行することが可能であるかまたは方法を実行することが可能である。加えて、本明細書中に記載の局面のうち１つ以上以外のものに加えて他の構造、機能または構造および機能を用いて、このような装置を実行してもよいし、このような方法を実行することが可能である。上記の概念のうちいくつかの一例として、いくつかの局面において、同時チャンネルは、パルス反復周波数に基づいて確立され得る。いくつかの局面において、同時チャンネルは、パルス位置またはオフセットに基づいて確立され得る。いくつかの局面において、同時チャンネルは、時間ホッピングシーケンスに基づいて確立され得る。いくつかの局面において、同時チャンネルは、パルス反復周波数、パルス位置またはオフセットおよび時間ホッピングシーケンスに基づいて確立され得る。
【００９４】
当業者であれば、情報および信号は、多様な異なる技術および技術のうちいずれかを用いて表現可能であることを理解する。例えば、上記記載全体において参照され得るデータ、命令、コマンド、情報、信号、ビット、シンボルおよびチップは、電圧、電流、電磁波、磁界、または粒子、光場または粒子またはこれらの任意の組み合わせによって表現され得る。
【００９５】
当業者であれば、本明細書中に開示される局面に関連して記載された多様な例示的論理ブロック、モジュール、プロセッサ、手段、回路およびアルゴリズムステップは、電子ハードウェア（例えば、ソース符号化または他のいくつかの技術を用いて設計され得るデジタル実行、アナログ実行、またはこれら２つの組み合わせ）、多様な形態のプログラムまたは命令を含む設計コード（本明細書中、便宜上、「ソフトウェア」または「ソフトウェアモジュール」と呼ぶ場合がある）、または双方の組み合わせとして実行され得ることをさらに理解する。ハードウェアおよびソフトウェアのこの互換性を明確に例示するため、多
様な例示的コンポーネント、ブロック、モジュール、回路およびステップについて、その機能性について主に上記してきた。このような機能制御をハードウェアまたはソフトウェアとして実行するかは、特定の用途およびシステム全体に課される設計上の制約に依存する。当業者であれば、記載の機能性を各特定の用途のために多様な方法で実行することができるが、このような実行決定は、本開示の範囲からの逸脱として解釈されるべきではない。
【００９６】
加えて、本明細書中開示される局面に関連して述べられた多様な例示的論理ブロック、モジュールおよび回路は、集積回路（「ＩＣ」）、アクセス端末またはアクセスポイント内において実行してもよいし、あるいはそれによって行ってもよい。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、電気コンポーネント、光学コンポーネント、機械コンポーネント、または本明細書中に記載の機能を行うように設計されたこれらの任意の組み合わせを含み得、ＩＣ内に常駐するかＩＣ外に常駐するかまたは双方に常駐するコードまたは命令を実行し得る。汎用プロセッサはマイクロプロセッサであり得るが、代替例において、プロセッサは、任意の従来のプロセッサ、コントローラ、マイクロコントローラまたはステートマシンであり得る。プロセッサは、コンピューティングデバイスの組み合わせ（例えば、ＤＳＰおよびマイクロプロセッサの組み合わせ、複数のマイクロプロセッサ、ＤＳＰコアと関連する１つ以上のマイクロプロセッサ、または他の任意のこのような構成）として実行してもよい。
【００９７】
任意の開示のプロセス中のステップの任意の特定の順序または階層は、サンプルアプローチの一例であることが理解される。設計選択に基づいて、プロセス中のステップの特定の順序または階層は、本開示の範囲内において再配置することが可能であることが理解される。付随する方法請求項は、サンプル順序中の多様なステップの要素を提示し、提示された特定の順序または階層に限定されることを意図していない。
【００９８】
本明細書中に開示される局面に関連して述べた方法またはアルゴリズムのステップは、ハードウェア、プロセッサによって実行されるソフトウェアモジュール、またはこれら２つの組み合わせにおいて直接具現化することができる。（例えば、実行可能な命令および関連データを含む）ソフトウェアモジュールおよび他のデータは、データメモリ（例えば、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該分野で公知の他の任意の形態のコンピュータで読み出し可能な記憶媒体）中に常駐し得る。サンプル記憶媒体は、マシン（例えば、コンピュータ／プロセッサ（本明細書中便宜上「プロセッサ」として呼ぶ場合がある））へ接続され得、このようなプロセッサは、記憶媒体に対して情報（例えば、コード）の読み出しおよび書き込みを行い得る。サンプル記憶媒体は、プロセッサと一体化され得る。プロセッサおよび記憶媒体は、ＡＳＩＣ中に属し得る。ＡＳＩＣは、ユーザ機器中に属し得る。代替例において、プロセッサおよび記憶媒体は、ユーザ機器中のディスクリートコンポーネントとして属し得る。さらに、いくつかの局面において、任意の適切なコンピュータプログラム製品は、本開示の局面の１つ以上に関連するコードを含むコンピュータで読み出し可能な媒体を含み得る。いくつかの局面において、コンピュータプログラム製品は、パッケージング部品を含み得る。
【００９９】
本発明について多様な局面に関連して述べてきたが、本発明はさらなる改変が可能であることが理解される。一般的に、本出願は、発明の原理に基づきかつ、そのような公知で発明の属する技術の範囲内の慣例内の現在の開示からの離脱を含む発明の様々な多様性や用途、適応に対応することを意図する。
【図１】
2018196145.tif 000021
【図２】
2018196145.tif 000022
【図３】
2018196145.tif 000023
【図４】
2018196145.tif 000024
【図５】
2018196145.tif 000025
【図６】
2018196145.tif 000026
【図７】
2018196145.tif 000027
【図８】
2018196145.tif 000028
【図９】
2018196145.tif 000029
【図１０】
2018196145.tif 000030
【図１１】
2018196145.tif 000031
【図１２】
2018196145.tif 000032
【図１３】
2018196145.tif 000033
【図１４】
2018196145.tif 000034
【図１５】
2018196145.tif 000035
【図１６】
2018196145.tif 000036
【図１７】
2018196145.tif 000037
【図１８】
2018196145.tif 000038
【図１９】
2018196145.tif 000039
【図２０】
2018196145.tif 000040
【図２１】
2018196145.tif 000041